(57)【要約】【課題】子機のみの機能で、子機同士で対応している通信種別を認識でき、子機間直接通信への移行か親機を介した子機間通信のままかを通信種別によって判別でき、最適な通信種別を選択することを目的とする。【解決手段】子機２２０は、無線部２２１と、親機通信制御部２２３と、子機間直接通信制御部２２４と、自子機が提供できる通信種別を記憶する属性情報記憶部２２５と、相手子機に自子機提供通信種別を通知し相手子機提供通信種別を受信する属性情報伝達部２２６と、自子機の属性情報と相手子機の属性情報とに基づいて親機１００を介した通信のままか子機間直接通信の起動かを判別する通信手段判別部２２７とを有し、通信手段判別部は、子機同士でお互いに対応している通信種別を認識し、認識した通信種別に基づいて、子機間直接通信への移行か親機を介した子機間通信のままかを判別し、最適な通信種別を起動する。【選択図】  図１
2004165881.tif 000002
【特許請求の範囲】
【請求項１】
親機と前記親機との間で無線通信が可能な子機とから成る無線通信装置であって、
前記子機は、無線通信を行う無線部と、前記親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて前記親機を介した通信のままにするか子機間直接通信を起動するかを判別する通信手段判別部と、各部を制御する基本制御部とを有し、
前記通信手段判別部は、子機同士でお互いに対応している通信種別を認識し、前記認識した通信種別に基づいて、子機間直接通信へ移行するのか前記親機を介した子機間通信のままにするのかを判別することを特徴とするデジタル無線通信装置。
【請求項２】
親機と前記親機との間で無線通信が可能な子機とから成る無線通信装置であって、
前記子機は、無線通信を行う無線部と、前記親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて前記親機を介した通信のままにするか子機間直接通信を起動するかを判別する通信手段判別部と、各部を制御すると共に着信応答用発呼要求の送信時に自子機の属性情報を送信するように制御する基本制御部とを有し、
前記親機は、前記子機との間で無線通信を行う無線部と、各部を制御すると共に前記親機を介した子機間通信を行っている場合に一方の子機から受け取った属性情報を他方の子機に対して送る制御部とを有し、
前記通信手段判別部は、前記制御部から送られた子機の属性情報から実現可能な通信種別を起動することを特徴とするデジタル無線通信装置。
【請求項３】
親機と前記親機との間で無線通信が可能な子機とから成る無線通信装置であって、
前記子機は、無線通信を行う無線部と、前記親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて前記親機を介した通信のままにするか子機間直接通信を起動するかを判別する通信手段判別部と、各部を制御すると共に指定した通信種別を含んだ発呼要求メッセージを発呼要求時に送信するように制御する基本制御部とを有し、
前記親機は、前記子機との間で無線通信を行う無線部と、各部を制御すると共に前記子機からの発呼要求に含まれた通信種別を同報通知の内容に設定して送信する制御部とを有し、
前記通信手段判別部は、前記同報通知で送信された通信種別に応じた通信を起動することを特徴とするデジタル無線通信装置。
【請求項４】
親機と前記親機との間で無線通信が可能な子機とから成る無線通信装置であって、
前記子機は、無線通信を行う無線部と、前記親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて前記親機を介した通信のままにするか子機間直接通信を起動するかを判別する通信手段判別部と、各部を制御すると共に指定した通信種別を含んだ発呼要求メッセージを発呼要求時に送信するように制御する基本制御部とを有し、
前記親機は、前記子機との間で無線通信を行う無線部と、各部を制御すると共に前記子機からの発呼要求に含まれた通信種別を同報通知の内容に設定して送信する制御部とを有し、
前記通信手段判別部は、自子機が着信側子機である場合に前記親機経由の子機間通信を解放すると共に子機間直接通信を起動することを特徴とするデジタル無線通信装置。
【請求項５】
親機と前記親機との間で無線通信が可能な子機とから成る無線通信装置であって、
前記子機は、無線通信を行う無線部と、前記親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて前記親機を介した通信のままにするか子機間直接通信を起動するかを判別すると共に着信の可否も判別する通信手段判別部と、各部を制御すると共に自子機が発呼側子機である場合に発呼要求送信時に自子機の属性情報を送信するように制御する基本制御部とを有し、
前記親機は、前記子機との間で無線通信を行う無線部と、各部を制御すると共に前記子機からの発呼要求に含まれた属性情報を同報通知の内容に設定して送信する制御部とを有し、
前記通信手段判別部は、前記同報通知された属性情報の通信種別に応じた通信を起動することを特徴とするデジタル無線通信装置。
【発明の詳細な説明】
【０００１】
【発明の属する技術分野】
本発明は、親機と親機との間で無線通信が可能な子機とから成る無線通信装置に関するものである。
【０００２】
【従来の技術】
図１２は、従来のデジタル無線通信装置としての従来の無線電話装置を示すブロック図である。
【０００３】
図１２において、１００は親機、１０１は後述の子機２００、２１０と無線通信を行う無線部、１０２はアンテナ、１０３は各部を制御する制御部である。各部１０１〜１０３は、デジタル無線電話装置の親機１００を構成する。また、２００は子機、２０１は親機１００または別の子機２１０（後述）と無線通信を行う無線部、２０２はアンテナ、２０３は親機１００との通信を確立しまた解放する親機通信制御部、２０４は子機間直接通信を確立しまた解放する子機間直接通信制御部、２０５は各部２０１〜２０４の各部を制御する基本制御部である。各部２０１〜２０５は、デジタル無線電話装置の子機２００を構成する。さらに、２１０は子機、２１１は親機１００または別の子機２００と無線通信を行う無線部、２１２はアンテナ、２１３は親機１００との通信を確立しまた解放する親機通信制御部、２１４は子機間直接通信を確立しまた解放する子機間直接通信制御部、２１５は各部２１１〜２１４の各部を制御する基本制御部である。各部２１１〜２１５は、デジタル無線電話装置の子機２１０を構成する。
【０００４】
以上のように構成されたデジタル無線通信装置としてのデジタル無線電話装置について、親機１００を介した子機間通信を経て子機間直接通信を開始する動作を、図１３を用いて説明する。図１３は図１２のデジタル無線電話装置の動作を示すシーケンス図である。
【０００５】
図１３において、子機２００と子機２１０が親機１００と同期した状態から子機２００が子機２１０との直接通信を開始する場合、子機２００の基本制御部２０５は、親機通信制御部２０３を起動し、親機１００に対して発呼要求を送信する（Ｓ１００）。この発呼要求メッセージ内には通信相手先として子機２１０が指定された情報も含まれている。前記発呼要求メッセージをアンテナ１０２、無線部１０１を介して受信した親機１００の制御部１０３は、相手番号に指定されている子機２１０に対して着信通知メッセージを送信する（Ｓ１０１）。前記着信通知メッセージを受信した子機２１０は、応答可能で有れば、着信応答メッセージを送り、親機１００との通信を開始する（Ｓ１０２）。前記着信応答メッセージを受信し子機２１０との通信を確立した親機１００は、子機２００に対して発呼応答メッセージを送信する（Ｓ１０３）。前記発呼応答メッセージを受信した子機２００は、子機間直接通信制御部２０４を起動し、子機間直接通信への移行要求メッセージを親機１００を介して子機２１０へ送信する（Ｓ１０４）。前記移行要求メッセージには子機間直接通信で使用する子機２００と子機２１０との共通な識別子が含まれている。前記移行要求メッセージを親機１００を介して受信した子機２１０の基本制御部２１５は、前記移行要求メッセージを子機間直接通信制御部２１４に送る。前記移行要求メッセージを受けた子機間直接通信制御部２１４は、前記移行要求メッセージに含まれている子機２００と子機２１０との共通な識別子を記憶すると共に、子機間直接通信移行受付メッセージを基本制御部２１５、無線部２１１、アンテナ２１２を介して親機１００に送信する（Ｓ１０５）。前記移行受付メッセージを親機１００を介して受信した子機２００は、子機間直接通信への移行が了解されたものとして、親機１００に対して解放通知メッセージを送信して親機１００との通信を切断する（Ｓ１０６）。前記解放通知メッセージを受信した親機１００は、子機２１０に対して解放要求メッセージ８を送信する（Ｓ１０７）。前記解放要求メッセージを受信した子機２１０は、解放応答メッセージを親機１００に送信して親機との通信を解放する（Ｓ１０８）。これを受けた親機１００は、解放応答メッセージを子機２００に対して送信する（Ｓ１０９）。前記解放応答メッセージを受け、親機１００との通信を解放した子機２００の制御部２０５は、子機間直接通信制御部２０４を起動し、制御チャネルデータの送出を無線部２０１とアンテナ２０２を介して開始する（Ｓ１１０）。前記制御チャネルデータでは、子機間直接通信記憶部（図示せず）が記憶していた子機２００と子機２１０との共通な識別子と、子機個別の識別子ここでは子機２００の識別子から生成した新たな識別子および呼出す子機の識別子として子機２１０の識別子とが送出される。一方、子機２１０の制御部２１５も親機１００との通信を解放後、子機間直接通信制御部２１４を起動し、アンテナ２１２，無線部２１１を用いて子機２００と子機２１０との共通な識別子を含む識別子を送出している制御チャネルデータをスキャンする。そして子機２００からの制御チャネルデータを受信すると、子機２００と子機２１０との共通な識別子を含む識別子を確認すると共に、呼出子機を識別する識別子を確認する。前記呼出子機を識別する識別子が自子機である子機２１０の識別子の場合、子機２１０は通信チャネル確立要求を子機２００に対して送信し（Ｓ１１１）、通信チャネルを確立する（Ｓ１１２）。子機２００は通信チャネル確立後、発呼要求メッセージを子機２１０に対して送出する（Ｓ１１３）。前記発呼要求メッセージを受けた子機２１０は、発呼受付メッセージを子機２００に送信する（Ｓ１１４）。また、ここでは親機１００を介した通信から子機間直接通信への移行であるため、自動的に子機間直接通信制御部２１４から着信応答メッセージが子機２００に送信され（Ｓ１１５）、子機間直接通信が開始される（Ｓ１１６）。（例えば特許文献１参照）。
【０００６】
【特許文献１】
特開平５−１６７５２３号公報
【０００７】
【発明が解決しようとする課題】
しかしながら、上記従来のデジタル無線通信装置（デジタル無線電話装置）では、子機間直接通信へ移行するのか親機を介した子機間通信のままにするのかの判別ができないという問題点を有し、また、子機間直接通信を利用した各種データ通信を行おうとした場合、データ通信の種類（通信種別）の多様性から通信相手子機は発呼側子機が希望するデータ通信の種類に対応しているかどうかがわからないという問題点を有していた。
【０００８】
このデジタル無線通信装置では、親機に特別な機能を持つことなく、子機のみの機能で、子機同士で対応している通信種別の認識を行うことができ、子機間直接通信へ移行するのか親機を介した子機間通信のままにするのかを提供する通信種別によって判別することができ、最適な通信種別を選択することができることが要求されている。
【０００９】
本発明は、この要求を満たすため、親機に特別な機能を持つことなく、子機のみの機能で、子機同士で対応している通信種別の認識を行うことができ、子機間直接通信へ移行するのか親機を介した子機間通信のままにするのかを提供する通信種別によって判別することができ、最適な通信種別を選択することができるデジタル無線通信装置を提供することを目的とする。
【００１０】
【課題を解決するための手段】
この課題を解決するために本発明のデジタル無線通信装置は、親機と親機との間で無線通信が可能な子機とから成る無線通信装置であって、子機は、無線通信を行う無線部と、親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて親機を介した通信のままにするか子機間直接通信を起動するかを判別する通信手段判別部と、各部を制御する基本制御部とを有し、通信手段判別部は、子機同士でお互いに対応している通信種別を認識し、認識した通信種別に基づいて、子機間直接通信へ移行するのか親機を介した子機間通信のままにするのかを判別し、最適な通信種別を起動する構成を備えている。
【００１１】
これにより、親機に特別な機能を持つことなく、子機のみの機能で、子機同士で対応している通信種別の認識を行うことができ、子機間直接通信へ移行するのか親機を介した子機間通信のままにするのかを提供する通信種別によって判別することができるデジタル無線通信装置が得られる。
【００１２】
【発明の実施の形態】
本発明の請求項１に記載のデジタル無線通信装置は、親機と親機との間で無線通信が可能な子機とから成る無線通信装置であって、子機は、無線通信を行う無線部と、親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて親機を介した通信のままにするか子機間直接通信を起動するかを判別する通信手段判別部と、各部を制御する基本制御部とを有し、通信手段判別部は、子機同士でお互いに対応している通信種別を認識し、認識した通信種別に基づいて、子機間直接通信へ移行するのか親機を介した子機間通信のままにするのかを判別することとしたものである。
【００１３】
この構成により、子機同士でお互いに対応している通信種別を通信手段判別部により認識するようにしたので、親機に特別な機能を持つことなく、子機のみの機能で、子機間直接通信へ移行するのか親機を介した子機間通信のままにするのかを判別することができ、実現可能な通信種別が複数ある場合には最適な通信種別を選択して提供することもできるという作用を有する。
【００１４】
請求項２に記載のデジタル無線通信装置は、親機と親機との間で無線通信が可能な子機とから成る無線通信装置であって、子機は、無線通信を行う無線部と、親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて親機を介した通信のままにするか子機間直接通信を起動するかを判別する通信手段判別部と、各部を制御すると共に着信応答用発呼要求の送信時に自子機の属性情報を送信するように制御する基本制御部とを有し、親機は、子機との間で無線通信を行う無線部と、各部を制御すると共に親機を介した子機間通信を行っている場合に一方の子機から受け取った属性情報を他方の子機に対して送る制御部とを有し、通信手段判別部は、制御部から送られた子機の属性情報から実現可能な通信種別を起動することとしたものである。
【００１５】
この構成により、親機を介した子機間通信を行っている場合に一方の子機から受け取った属性情報を他方の子機に対して送るようにしたので、親機に特別な機能を持つことなく、子機のみの機能で、子機間直接通信へ移行するのか親機を介した子機間通信のままにするのかを属性情報に含まれる通信種別情報に基づいて判別することができ、通信手段判別部は着信応答した子機の属性情報から実現可能な通信種別を起動することができ、実現可能な通信種別が複数ある場合には最適な通信種別を選択して提供することもできるという作用を有する。
【００１６】
請求項３に記載のデジタル無線通信装置は、親機と親機との間で無線通信が可能な子機とから成る無線通信装置であって、子機は、無線通信を行う無線部と、親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて親機を介した通信のままにするか子機間直接通信を起動するかを判別する通信手段判別部と、各部を制御すると共に指定した通信種別を含んだ発呼要求メッセージを発呼要求時に送信するように制御する基本制御部とを有し、親機は、子機との間で無線通信を行う無線部と、各部を制御すると共に子機からの発呼要求に含まれた通信種別を同報通知の内容に設定して送信する制御部とを有し、通信手段判別部は、同報通知で送信された通信種別に応じた通信を起動することとしたものである。
【００１７】
この構成により、親機は子機からの発呼要求に含まれた通信種別を同報通知の内容に設定して送信し、発呼側子機からすべての相手子機に対して通信種別が通知されるようにしたので、親機に特別な機能を持つことなく、子機のみの機能で、子機間直接通信へ移行するのか親機を介した子機間通信のままにするのかを判別することができると共に、発呼側子機の要求する通信種別に合った相手子機を選択することができ、相手子機との関係で実現可能な通信種別が複数ある場合には最適な通信種別を選択して提供することもできるという作用を有する。
【００１８】
請求項４に記載のデジタル無線通信装置は、親機と親機との間で無線通信が可能な子機とから成る無線通信装置であって、子機は、無線通信を行う無線部と、親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて親機を介した通信のままにするか子機間直接通信を起動するかを判別する通信手段判別部と、各部を制御すると共に指定した通信種別を含んだ発呼要求メッセージを発呼要求時に送信するように制御する基本制御部とを有し、親機は、子機との間で無線通信を行う無線部と、各部を制御すると共に子機からの発呼要求に含まれた通信種別を同報通知の内容に設定して送信する制御部とを有し、通信手段判別部は、自子機が着信側子機である場合に親機経由の子機間通信を解放すると共に子機間直接通信を起動することとしたものである。
【００１９】
この構成により、親機は子機からの発呼要求に含まれた通信種別を同報通知の内容に設定して送信し、発呼側子機からすべての相手子機に対して通信種別が通知されると共に、着信側子機から親機経由の子機間通信を解放すると共に子機間直接通信を起動するようにしたので、親機に特別な機能を持つことなく、子機のみの機能で、子機間直接通信へ移行するのか親機を介した子機間通信のままにするのかを判別することができると共に、着信側子機からでも子機間直接通信を起動することができ、相手子機との関係で実現可能な通信種別が複数ある場合には最適な通信種別を選択して提供することもできるという作用を有する。
【００２０】
請求項５に記載のデジタル無線通信装置は、親機と親機との間で無線通信が可能な子機とから成る無線通信装置であって、子機は、無線通信を行う無線部と、親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて親機を介した通信のままにするか子機間直接通信を起動するかを判別すると共に着信の可否も判別する通信手段判別部と、各部を制御すると共に自子機が発呼側子機である場合に発呼要求送信時に自子機の属性情報を送信するように制御する基本制御部とを有し、親機は、子機との間で無線通信を行う無線部と、各部を制御すると共に子機からの発呼要求に含まれた属性情報を同報通知の内容に設定して送信する制御部とを有し、通信手段判別部は、同報通知された属性情報の通信種別に応じた通信を起動することとしたものである。
【００２１】
この構成により、親機は子機からの発呼要求に含まれた通信種別を同報通知の内容に設定して送信し、発呼側子機からすべての相手子機に対して通信種別が通知されると共に、通信手段判別部は同報通知された属性情報の通信種別に応じた通信を起動するようにしたので、親機に特別な機能を持つことなく、子機のみの機能で、子機間直接通信へ移行するのか親機を介した子機間通信のままにするのかを判別することができると共に、発呼側子機の持つ属性情報に合わせて通信種別を選択することができ、相手子機との関係で実現可能な通信種別が複数ある場合には最適な通信種別を選択して提供することもできるという作用を有する。
【００２２】
以下、本発明の実施の形態について、図１〜図１１を用いて説明する。
【００２３】
（実施の形態１）
図１は、本発明の実施の形態１によるデジタル無線通信装置を示すブロック図である。
【００２４】
図１において、親機１００、無線部１０１、アンテナ１０２、制御部１０３は図１２と同様のものであり、同一符号を付して、その説明は省略する。２２０は子機、２２１は親機１００または別の子機２３０（後述）と無線通信を行う無線部、２２２はアンテナ、２２３は親機通信制御部、２２４は子機間直接通信制御部、２２５は自子機の提供できる通信種別を記憶する属性情報記憶部、２２６は通信相手子機に自子機の提供する通信種別を通知したり、相手子機の提供する通信種別を受信する属性情報伝達部、２２７は自子機の属性情報と相手子機の属性情報を基に、親機を介した通信のままにするか子機間直接通信を起動するかを判別する通信手段判別部、２２８は各部を制御する基本制御部である。各部２２１〜２２８はデジタル無線通信装置の子機２２０を構成する。また、２３０は子機、２３１は親機１００または別の子機２２０（後述）と無線通信を行う無線部、２３２はアンテナ、２３３は親機通信制御部、２３４は子機間直接通信制御部、２３５は自子機の提供できる通信種別を記憶する属性情報記憶部、２３６は通信相手子機に自子機の提供する通信種別を通知したり、相手子機の提供する通信種別を受信する属性情報伝達部、２３７は自子機の属性情報と相手子機の属性情報を基に、親機を介した通信のままにするか子機間直接通信を起動するかを判別する通信手段判別部、２３８は各部を制御する基本制御部である。各部２３１〜２３８はデジタル無線通信装置の子機２３０を構成する。
【００２５】
以上のように構成されたデジタル無線通信装置について、その動作を図２、図３を用いて説明する。図２は属性情報を示すデータ図であり、図３は図１のデジタル無線通信装置の動作を示すシーケンス図である。
【００２６】
子機２２０および子機２３０の属性情報記憶部２２５および２３５は、図２に示すような自子機の属性情報を記憶している。伝達能力は音声やデータ通信といった対応している通信内容の種類を示す。同時使用可能スロット数は１通信につき、何スロットまで同時使用可能かを示す。子機間直接通信は子機間直接通信が起動可能か否かを示す。高レイヤ能力は子機の持つ通信サービスの種類（カメラ機能、モニタ機能、シリアル通信機能、ワイヤレスＬＡＮ機能）を示す。
【００２７】
例として、図２に示すような属性情報を持つ子機２２０と子機２３０とが親機１００を介した子機間通信から子機間直接通信へ移行する場合のシーケンスを図３に示す。
【００２８】
図３において、まず、子機２２０の基本制御部２２８は、無線部２２１およびアンテナ２２２を介して親機１００に対して、発呼要求メッセージを送信する（Ｓ１）。この発呼要求メッセージ内には通信相手先として子機２３０が指定された情報も含まれている。前記発呼要求メッセージを受信した親機１００は、前記発呼要求メッセージ内で通信相手に指定されている子機２３０に対して着信通知メッセージを送信する（Ｓ２）。前記着信通知メッセージをアンテナ２３２、無線部２３１を介して受信した子機２３０の基本制御部２３８は、無線部２３１およびアンテナ２３２を介して着信応答メッセージを親機１００に送り、親機１００との通信を開始する（Ｓ３）。前記着信応答メッセージを受信し子機２３０との通信を確立した親機１００は、子機２２０に対して、相手子機２３０との通信を確立したことを示す発呼応答メッセージを送信する（Ｓ４）。前記発呼応答メッセージを受信した子機２２０の基本制御部２２８は、自子機の属性情報を属性情報記憶部２２８から取り出し、属性情報伝達部２２６を介して、子機間情報通知メッセージとして自子機の属性情報を無線部２２１、アンテナ２２２を介して送信する（Ｓ５）。また、本メッセージにはユーザから要求されたサービス種別（音声、データ等）が含まれている。前記子機間情報通知メッセージを無線部２３１、アンテナ２３２を介して受信した子機２３０の基本制御部２３８は、前記子機間情報通知メッセージを属性情報伝達部２３６に伝える。前記子機間情報通知メッセージを受けた属性情報伝達部２３６は、前記子機間情報通知メッセージ内から子機２２０の属性情報とユーザからの要求サービス種別とを取り出し、通信手段判別部２３７へ送る。通信手段判別部２３７は、自子機の属性情報を記憶している属性情報記憶部２３５から自子機の属性情報を取り出し、子機２２０の属性情報と比較する。そして要求サービス種別と合わせて実現可能な通信種別を決定する。ここで、子機間直接通信が適切と判別した場合、通信手段判別部２３７は子機間直接通信制御部２３４を起動し、子機間直接通信移行要求メッセージを送信する（Ｓ６）。以降、従来の技術と同様の処理を行って（Ｓ７〜Ｓ１１）、子機２２０と子機２３０での子機間直接通信を確立する（Ｓ１２）。すなわち、ステップＳ７〜Ｓ１１は図１３のステップＳ１０５〜Ｓ１０９に相当し、ステップＳ１２は図１３のステップＳ１１０〜Ｓ１１６に相当する。
【００２９】
以上のように本実施の形態によれば、子機２２０は、無線通信を行う無線部２２１と、親機１００との間で無線通信を行う親機通信制御部２２３と、子機間で直接に無線通信を行う子機間直接通信制御部２２４と、自子機の提供できる通信種別を記憶する属性情報記憶部２２５と、相手子機に自子機の提供する通信種別を通知すると共に相手子機の提供する通信種別を受信するための属性情報伝達部２２６と、自子機の属性情報と相手子機の属性情報とに基づいて親機１００を介した通信のままにするか子機間直接通信を起動するかを判別する通信手段判別部２２７と、各部を制御する基本制御部２２８とを有し、通信手段判別部２２７は、子機同士でお互いに対応している通信種別を認識し、認識した通信種別に基づいて、子機間直接通信へ移行するのか親機１００を介した子機間通信のままにするのかを判別することにより、子機同士でお互いに対応している通信種別を通信手段判別部２２７により認識するようにしたので、親機１００に特別な機能を持つことなく、子機２２０のみの機能で、子機間直接通信へ移行するのか親機１００を介した子機間通信のままにするのかを判別することができ、実現可能な通信種別が複数ある場合には最適な通信種別を選択して提供することもできる。
【００３０】
（実施の形態２）
図４は、本発明の実施の形態２によるデジタル無線通信装置を示すブロック図である。
【００３１】
図４において、１１０は親機、１１１は子機２４０、２５０（後述）との無線通信を行う無線部、１１２はアンテナ、１１３は各部を制御すると共に親機１１０を介した子機間通信を行っている場合に一方の子機から受け取った属性情報を他方の子機に対して送る制御部である。各部１１１〜１１３はデジタル無線通信装置の親機１１０を構成する。また、２４０は子機、２４１は親機１１０または別の子機２５０と無線通信を行う無線部、２４２はアンテナ、２４３は親機通信制御部、２４４は子機間直接通信制御部、２４５は自子機の提供できる通信種別を記憶する属性情報記憶部、２４６は通信相手子機に自子機の提供する通信種別を通知したり、相手子機の提供する通信種別を受信する属性情報伝達部、２４７は自子機の属性情報と相手子機の属性情報とを基に、親機１１０を介した通信のままにするか子機間直接通信を起動するかを判別する通信手段判別部、２４８は各部を制御すると共に着信応答用発呼要求の送信時に自子機の属性情報を送信するように制御する基本制御部である。各部２４１〜２４８はデジタル無線通信装置の子機２４０を構成する。さらに、２５０は子機、２５１は親機１１０または別の子機２４０と無線通信を行う無線部、２５２はアンテナ、２５３は親機通信制御部、２５４は子機間直接通信制御部、２５５は自子機の提供できる通信種別を記憶する属性情報記憶部、２５６は通信相手子機に自子機の提供する通信種別を通知したり、相手子機の提供する通信種別を受信する属性情報伝達部、２５７は自子機の属性情報と相手子機の属性情報とを基に、親機１１０を介した通信のままにするか子機間直接通信を起動するかを判別する通信手段判別部、２５８は各部を制御すると共に着信応答用発呼要求の送信時に自子機の属性情報を送信するように制御する基本制御部である。各部２５１〜２５８はデジタル無線通信装置の子機２５０を構成する。
【００３２】
以上のように構成されたデジタル無線通信装置について、その動作を図５を用いて説明する。図５は図４のデジタル無線通信装置の動作を示すシーケンス図である。
【００３３】
図５において、まず、子機２４０が通信相手を全子機あるいは一部の子機を指定した呼出を行う場合、呼出対象に全子機あるいは一部の子機を指定した情報を含んだ発呼要求メッセージを親機１１０に対して送信する（Ｓ２１）。前記発呼要求メッセージを受信した親機１１０は、従来の技術に基づき、同報通知により着信を通知する（Ｓ２２）。このとき子機２５０が対象に入っているとすると、前記同報通知を受信した子機２５０が着信する。ここで、子機２５０の使用者が着信に応答した場合、子機２５０の基本制御部２５８は、属性情報記憶部２５５から自子機の対応通信種別を取り出し、これを情報要素として含んだ発呼要求メッセージを親機１１０に対して送出する（Ｓ２３）。なお、この間に、親機１１０は子機２４０に対して呼出通知を行う（Ｓ２４）。前記発呼要求メッセージをアンテナ１１２，無線部１１１を介して受信した親機１１０の制御部１１３は、前記発呼要求メッセージ内の情報要素をそのまま含んだ接続通知メッセージを子機２４０に送り、着信に応答があったことを知らせる（Ｓ２５）。また子機２５０に対しても発呼要求メッセージに対する接続通知メッセージを送る（Ｓ２６）。前記接続通知メッセージを受けた子機２５０の基本制御部２５８は、前記接続通知メッセージを属性情報伝達部２５６に伝える。前記接続通知メッセージを受けた属性情報伝達部２５６は、前記接続通知メッセージ内から子機２４０の属性情報を取り出し、通信手段判別部２５７へ送る。通信手段判別部２５７は、自子機の属性情報を記憶している属性情報記憶部２５５から自子機の属性情報を取り出し、子機２４０の属性情報と比較する。そして実現可能な通信種別を決定する。ここで子機間直接通信が適切と判別した場合、通信手段判別部２５７は子機間直接通信制御部２５４を起動し、実施の形態１の場合と同様に子機間直接通信移行要求メッセージを送信する（Ｓ６）。以降、従来の技術と同様の処理を行って（Ｓ１０５〜Ｓ１０９）、子機２４０と子機２５０での子機間直接通信を確立する（Ｓ１１０〜Ｓ１１６）。
【００３４】
また、以下のような手順で子機間直接通信を確立することも出来る。
【００３５】
上記子機間直接通信移行要求メッセージの代わりに、子機２４０から子機間直接通信移行要求を示した情報要素を含む解放要求メッセージを親機１１０に対して送信する（Ｓ２７）。前記解放要求メッセージを受信した親機１１０の制御部１１３は、子機２５０への解放要求メッセージに子機２４０から送られた情報要素を含めて送信する（Ｓ２８）。前記解放要求メッセージを受信した子機２５０の基本制御部２５８は、前記解放要求メッセージに含まれた子機間直接通信移行要求を示す情報要素に対して、子機間直接通信移行受付を示す情報要素を含んだ解放応答メッセージを親機１１０に対して送信する（Ｓ２９）。前記解放応答メッセージを受信した親機１１０の制御部１１３は、子機２４０への解放応答メッセージに子機２５０から送られた情報要素を含めて送信する（Ｓ３０）。前記解放応答メッセージを受けた子機２４０の基本制御部２４８は、解放応答メッセージに基づいて親機１１０との無線接続を解放すると同時に、前記解放応答メッセージに含まれていた子機間直接通信移行受付を示す情報要素を確認し、子機間直接通信の確立処理を起動する（Ｓ３１）。
【００３６】
以上のように本実施の形態によれば、子機２４０は、無線通信を行う無線部２４１と、親機１１０との間で無線通信を行う親機通信制御部２４３と、子機間で直接に無線通信を行う子機間直接通信制御部２４４と、自子機の提供できる通信種別を記憶する属性情報記憶部２４５と、相手子機２５０に自子機の提供する通信種別を通知すると共に相手子機２５０の提供する通信種別を受信するための属性情報伝達部２４６と、自子機２４０の属性情報と相手子機２５０の属性情報とに基づいて親機１１０を介した通信のままにするか子機間直接通信を起動するかを判別する通信手段判別部２４７と、各部を制御すると共に着信応答用発呼要求の送信時に自子機２４０の属性情報を送信するように制御する基本制御部２４８とを有し、親機１１０は、子機との間で無線通信を行う無線部１１１と、各部を制御すると共に親機を介した子機間通信を行っている場合に一方の子機から受け取った属性情報を他方の子機に対して送る制御部１１３とを有し、通信手段判別部２４７は、制御部１１３から送られた子機の属性情報から実現可能な通信種別を起動することにより、親機１１０を介した子機間通信を行っている場合に一方の子機から受け取った属性情報を他方の子機に対して送るようにしたので、親機１１０に特別な機能を持つことなく、子機２４０、２５０のみの機能で、子機間直接通信へ移行するのか親機１１０を介した子機間通信のままにするのかを属性情報に含まれる通信種別情報に基づいて判別することができ、通信手段判別部２４７は着信応答した子機の属性情報から実現可能な通信種別を起動することができ、実現可能な通信種別が複数ある場合には最適な通信種別を選択して提供することもできる。
【００３７】
（実施の形態３）
図６は、本発明の実施の形態３によるデジタル無線通信装置を示すブロック図である。
【００３８】
図６において、１２０は親機、１２１は子機２６０、２７０（後述）との無線通信を行う無線部、１２２はアンテナ、１２３は各部を制御すると共に子機からの発呼要求に含まれた通信種別を同報通知の内容に設定して送信する制御部である。各部１２１〜１２３はデジタル無線通信装置の親機１２０を構成する。また、２６０は子機、２６１は親機１２０または別の子機２５０と無線通信を行う無線部、２６２はアンテナ、２６３は親機通信制御部、２６４は子機間直接通信制御部、２６５は自子機の提供できる通信種別を記憶する属性情報記憶部、２６６は通信相手子機に自子機の提供する通信種別を通知したり、相手子機の提供する通信種別を受信する属性情報伝達部、２６７は自子機の属性情報と相手子機の属性情報とを基に、親機１２０を介した通信のままにするか子機間直接通信を起動するかを判別する通信手段判別部、２６８は各部を制御すると共に発呼時に指定した通信種別を含んだ発呼要求メッセージを送信するように制御する基本制御部である。各部２６１〜２６８はデジタル無線通信装置の子機２６０を構成する。さらに、２７０は子機、２７１は親機１２０または別の子機２６０と無線通信を行う無線部、２７２はアンテナ、２７３は親機通信制御部、２７４は子機間直接通信制御部、２７５は自子機の提供できる通信種別を記憶する属性情報記憶部、２７６は通信相手子機に自子機の提供する通信種別を通知したり、相手子機の提供する通信種別を受信する属性情報伝達部、２７７は自子機の属性情報と相手子機の属性情報とを基に、親機１２０を介した通信のままにするか子機間直接通信を起動するかを判別する通信手段判別部、２７８は各部を制御すると共に発呼時に指定した通信種別を含んだ発呼要求メッセージを送信するように制御する基本制御部である。各部２７１〜２７８はデジタル無線通信装置の子機２７０を構成する。
【００３９】
以上のように構成されたデジタル無線通信装置について、その動作を図７、図８を用いて説明する。図７は図６のデジタル無線通信装置の動作を示すシーケンス図であり、図８は通信種別情報を示すデータ図である。
【００４０】
図７において、発呼側の子機２６０から通信種別を指定した子機呼出を行いたい場合、子機２６０の基本制御部２６８は、属性情報記憶部２６５から自子機の属性情報を取り出し、これを基にして適切な通信種別を決定し、前記通信種別を情報要素として含んだ発呼要求メッセージを親機１２０に対して送出する（Ｓ４１）。この通信種別情報要素の例を図８に示す。前記発呼要求メッセージをアンテナ１２２，無線部１２１を介して受信した親機１２０の制御部１２３は、着信を知らせる同報通知と共に、子機２６０から指定された通信種別も同報通知として送出する（Ｓ４２、Ｓ４３）。なお、前記同報通知の後に子機２６０に対して呼出通知を行う（Ｓ４４）。前記同報通知を両方とも受信した子機２７０の基本制御部２７８は、着信情報に自子機が対象になっていることを確認後、子機２６０から指定された通信種別を同報通知から取り出す。また属性情報記憶部２７５から自子機の属性情報を取り出し、前記通信種別と比較する。基本制御部２７８は、前記自子機の属性情報が通信種別と適合していれば自子機が着信して良いと判別し、着信させる。ここで、子機２７０の使用者が着信に応答した場合、子機２７０の基本制御部２７８は、発呼要求メッセージを親機１２０に対して送出する（Ｓ４５）。前記発呼要求メッセージを受信した親機１２０の制御部１２３は、接続通知メッセージを子機２６０に送り、着信に応答があったことを知らせる（Ｓ４６）。接続通知メッセージは子機２７０にも送られる（Ｓ４７）。前記接続通知メッセージを受信した子機２６０の基本制御部２６８は、指定した通信種別に合った子機からの着信応答であると判別し、前記通信種別を含んだ通信起動要求を通信手段判別部２６７に送る。これを受けた通信手段判別部２６７は、指定された通信種別に応じた通信を起動する。指定された通信種別の中で子機間直接通信が指定されていた場合、実施の形態２と同様の処理を行って（Ｓ４８〜Ｓ５１）、子機間直接通信を起動する（Ｓ５２）。
【００４１】
図９は、図６のデジタル無線通信装置の別の動作を示すシーケンス図である。本実施の形態においては、図９に示したようなシーケンスで着信側の子機２７０から親機１２０を介した通信を切断して、子機間直接通信を起動することも出来る。なお、ステップＳ６１〜Ｓ６６は図７のステップＳ４１〜Ｓ４６に相当するので、その説明は省略する。指定された通信種別の中で子機間直接通信が指定されていた場合、子機２７０の基本制御部２７８は、接続通知を受信すると（Ｓ６７）、子機間直接通信移行要求を示した情報要素を含む解放要求メッセージを親機１２０に対して送信する（Ｓ６８）。前記解放要求メッセージを受信した親機１２０の制御部１２３は、子機２６０への解放要求メッセージに子機２７０から送られた情報要素を含めて送信する（Ｓ６９）。前記解放要求メッセージを受信した子機２６０の基本制御部２６８は、前記解放要求メッセージに含まれた子機間直接通信移行要求を示す情報要素に対して、子機間直接通信移行受付を示す情報要素を含んだ解放応答メッセージを親機１２０に対して送信する（Ｓ７０）。前記解放応答メッセージを受信した親機１２０の制御部１２３は、子機２７０への解放応答メッセージに子機２６０から送られた情報要素を含めて送信する（Ｓ７１）。前記解放応答メッセージを受けた子機２７０の基本制御部２７８は、解放応答メッセージに基づいて親機１２０との無線接続を解放すると同時に、前記解放応答メッセージに含まれていた子機間直接通信移行受付を示す情報要素を確認し、子機間直接通信制御部２７４を起動し、制御チャネルデータの送出を無線部２７１とアンテナ２７２を介して開始する（Ｓ７２）。一方子機２６０の制御部２６５は、親機１２０との通信を解放後、子機間直接通信制御部２６４を起動し、アンテナ２６２、無線部２６１を用いて制御チャネルスキャンを開始する。そして、子機２７０からの制御チャネルデータを受信すると、識別子を確認後、通信チャネル確立要求を子機２７０に対して送信し（Ｓ７３）、通信チャネルを確立する（Ｓ７４）。子機２７０は、通信チャネル確立後、発呼要求メッセージを子機２６０に対して送出する（Ｓ７５）。前記発呼要求メッセージを受けた子機２６０は、発呼受付メッセージを子機２７０に送信する（Ｓ７６）。また、ここでは親機１２０を介した通信から子機間直接通信への移行であるため、自動的に子機間直接通信制御部２６４から着信応答メッセージが子機２７０に送信され（Ｓ７７）、子機間直接通信が開始される（Ｓ７８）。
【００４２】
以上のように本実施の形態によれば、子機２６０は、無線通信を行う無線部２６１と、親機１２０との間で無線通信を行う親機通信制御部２６３と、子機間で直接に無線通信を行う子機間直接通信制御部２６４と、自子機２６０の提供できる通信種別を記憶する属性情報記憶部２６５と、相手子機２７０に自子機２６０の提供する通信種別を通知すると共に相手子機２７０の提供する通信種別を受信するための属性情報伝達部２６６と、自子機２６０の属性情報と相手子機２７０の属性情報とに基づいて親機１２０を介した通信のままにするか子機間直接通信を起動するかを判別する通信手段判別部２６７と、各部を制御すると共に指定した通信種別を含んだ発呼要求メッセージを発呼要求時に送信するように制御する基本制御部２６８とを有し、親機１２０は、子機との間で無線通信を行う無線部１２１と、各部を制御すると共に子機からの発呼要求に含まれた通信種別を同報通知の内容に設定して送信する制御部１２３とを有し、通信手段判別部２６７は、同報通知で送信された通信種別に応じた通信を起動することにより、親機１２０は子機からの発呼要求に含まれた通信種別を同報通知の内容に設定して送信し、発呼側子機２６０からすべての相手子機２７０に対して通信種別が通知されるようにしたので、親機１２０に特別な機能を持つことなく、子機２６０、２７０のみの機能で、子機間直接通信へ移行するのか親機１２０を介した子機間通信のままにするのかを判別することができると共に、発呼側子機２６０の要求する通信種別に合った相手子機を選択することができ、相手子機との関係で実現可能な通信種別が複数ある場合には最適な通信種別を選択して提供することもできる。
【００４３】
また、通信手段判別部２７７は、自子機が着信側子機２７０である場合に親機１２０経由の子機間通信を解放すると共に子機間直接通信を起動することにより、親機１２０は子機２６０からの発呼要求に含まれた通信種別を同報通知の内容に設定して送信し、発呼側子機２６０からすべての相手子機に対して通信種別が通知されると共に、着信側子機２７０から親機１２０経由の子機間通信を解放すると共に子機間直接通信を起動するようにしたので、親機１２０に特別な機能を持つことなく、子機２６０、２７０のみの機能で、子機間直接通信へ移行するのか親機１２０を介した子機間通信のままにするのかを判別することができると共に、着信側子機２７０からでも子機間直接通信を起動することができ、相手子機との関係で実現可能な通信種別が複数ある場合には最適な通信種別を選択して提供することもできる。
【００４４】
（実施の形態４）
図１０は、本発明の実施の形態４によるデジタル無線通信装置を示すブロック図である。
【００４５】
図１０において、１３０は親機、１３１は子機２８０、２９０（後述）との無線通信を行う無線部、１３２はアンテナ、１３３は各部を制御すると共に子機からの発呼要求に含まれた属性情報を同報通知の内容に設定して送信する制御部である。各部１３１〜１３３はデジタル無線通信装置の親機１３０を構成する。また、２８０は子機、２８１は親機１３０または別の子機２５０と無線通信を行う無線部、２８２はアンテナ、２８３は親機通信制御部、２８４は子機間直接通信制御部、２８５は自子機の提供できる通信種別を記憶する属性情報記憶部、２８６は通信相手子機に自子機の提供する通信種別を通知したり、相手子機の提供する通信種別を受信する属性情報伝達部、２８７は実施の形態１と同様の動作を行うと共に着信の可否も判断する通信手段判別部、２８８は各部を制御すると共に発呼側からの発呼要求送信時に自子機の属性情報を送信するように制御する基本制御部である。各部２８１〜２８８はデジタル無線通信装置の子機２８０を構成する。さらに、２９０は子機、２９１は親機１３０または別の子機２８０と無線通信を行う無線部、２９２はアンテナ、２９３は親機通信制御部、２９４は子機間直接通信制御部、２９５は自子機の提供できる通信種別を記憶する属性情報記憶部、２９６は通信相手子機に自子機の提供する通信種別を通知したり、相手子機の提供する通信種別を受信する属性情報伝達部、２９７は実施の形態１と同様の動作を行うと共に着信の可否も判断する通信手段判別部、２９８は各部を制御すると共に発呼側からの発呼要求送信時に自子機の属性情報を送信するように制御する基本制御部である。各部２９１〜２９８はデジタル無線通信装置の子機２９０を構成する。
【００４６】
以上のように構成されたデジタル無線通信装置について、その動作を図１１を用いて説明する。図１１は、図１０のデジタル無線通信装置の動作を示すシーケンス図である。
【００４７】
図１１において、発呼側の子機２８０の属性情報に合った子機に対して呼出を行いたい場合、子機２８０の基本制御部２８８は、属性情報記憶部２８５から自子機の属性情報を取り出し、この属性情報を情報要素として含んだ発呼要求メッセージを親機１３０に対して送出する（Ｓ８１）。前記発呼要求メッセージをアンテナ１３２、無線部１３１を介して受信した親機１３０の制御部１３３は、着信を知らせる同報通知と共に、発呼要求メッセージに含まれた子機２８０の属性情報も同報通知として送出する（Ｓ８２、Ｓ８３）。前記同報通知を両方とも受信した子機２９０の基本制御部２９８は、着信情報に自子機が対象になっていることを確認後、子機２８０の属性情報を含んだ同報通知を属性情報伝達部２９６に送る。属性情報伝達部２９６は、前記同報通知から子機２８０の属性情報を取り出し、通信手段判別部２９７に送る。これを受けた通信手段判別部２９７は、属性情報記憶部２９５から自子機の属性情報を取り出し、前記子機２８０の属性情報と比較する。自子機の属性情報が子機２８０の属性情報と適合していれば、自子機が着信して良いと判断し、着信要求を基本制御部に送る。これを受けた基本制御部は着信を開始する。以下、実施の形態２と同様の動作を行う。すなわち、図１１のステップＳ８４、Ｓ８５、Ｓ８６〜Ｓ９２は、図５のステップＳ２４、Ｓ２３、Ｓ２５〜Ｓ３１に相当する。
【００４８】
以上のように本実施の形態によれば、子機２８０は、無線通信を行う無線部２８１と、親機１３０との間で無線通信を行う親機通信制御部２８３と、子機間で直接に無線通信を行う子機間直接通信制御部２８４と、自子機の提供できる通信種別を記憶する属性情報記憶部２８５と、相手子機２９０に自子機の提供する通信種別を通知すると共に相手子機の提供する通信種別を受信するための属性情報伝達部２８６と、自子機の属性情報と相手子機２９０の属性情報とに基づいて親機１３０を介した通信のままにするか子機間直接通信を起動するかを判別すると共に着信の可否も判別する通信手段判別部２８７と、各部を制御すると共に自子機が発呼側子機である場合に発呼要求送信時に自子機の属性情報を送信するように制御する基本制御部２８８とを有し、親機１３０は、子機との間で無線通信を行う無線部１３１と、各部を制御すると共に子機からの発呼要求に含まれた属性情報を同報通知の内容に設定して送信する制御部１３３とを有し、通信手段判別部２９７は、同報通知された属性情報の通信種別に応じた通信を起動することにより、親機１３０は子機２８０からの発呼要求に含まれた通信種別を同報通知の内容に設定して送信し、発呼側子機２８０からすべての相手子機に対して通信種別が通知されると共に、通信手段判別部２９７は同報通知された属性情報の通信種別に応じた通信を起動するようにしたので、親機１３０に特別な機能を持つことなく、子機２８０、２９０のみの機能で、子機間直接通信へ移行するのか親機１３０を介した子機間通信のままにするのかを判別することができると共に、発呼側子機２８０の持つ属性情報に合わせて通信種別を選択することができ、相手子機との関係で実現可能な通信種別が複数ある場合には最適な通信種別を選択して提供することもできる。
【００４９】
【発明の効果】
以上説明したように本発明の請求項１に記載のデジタル無線通信装置によれば、親機と親機との間で無線通信が可能な子機とから成る無線通信装置であって、子機は、無線通信を行う無線部と、親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて親機を介した通信のままにするか子機間直接通信を起動するかを判別する通信手段判別部と、各部を制御する基本制御部とを有し、通信手段判別部は、子機同士でお互いに対応している通信種別を認識し、認識した通信種別に基づいて、子機間直接通信へ移行するのか親機を介した子機間通信のままにするのかを判別することにより、子機同士でお互いに対応している通信種別を通信手段判別部により認識するようにしたので、親機に特別な機能を持つことなく、子機のみの機能で、子機間直接通信へ移行するのか親機を介した子機間通信のままにするのかを判別することができ、実現可能な通信種別が複数ある場合には最適な通信種別を選択して提供することもできるという有利な効果が得られる。
【００５０】
請求項２に記載のデジタル無線通信装置によれば、親機と親機との間で無線通信が可能な子機とから成る無線通信装置であって、子機は、無線通信を行う無線部と、親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて親機を介した通信のままにするか子機間直接通信を起動するかを判別する通信手段判別部と、各部を制御すると共に着信応答用発呼要求の送信時に自子機の属性情報を送信するように制御する基本制御部とを有し、親機は、子機との間で無線通信を行う無線部と、各部を制御すると共に親機を介した子機間通信を行っている場合に一方の子機から受け取った属性情報を他方の子機に対して送る制御部とを有し、通信手段判別部は、制御部から送られた子機の属性情報から実現可能な通信種別を起動することにより、親機を介した子機間通信を行っている場合に一方の子機から受け取った属性情報を他方の子機に対して送るようにしたので、親機に特別な機能を持つことなく、子機のみの機能で、子機間直接通信へ移行するのか親機を介した子機間通信のままにするのかを属性情報に含まれる通信種別情報に基づいて判別することができ、通信手段判別部は着信応答した子機の属性情報から実現可能な通信種別を起動することができ、実現可能な通信種別が複数ある場合には最適な通信種別を選択して提供することもできるという有利な効果が得られる。
【００５１】
請求項３に記載のデジタル無線通信装置によれば、親機と親機との間で無線通信が可能な子機とから成る無線通信装置であって、子機は、無線通信を行う無線部と、親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて親機を介した通信のままにするか子機間直接通信を起動するかを判別する通信手段判別部と、各部を制御すると共に指定した通信種別を含んだ発呼要求メッセージを発呼要求時に送信するように制御する基本制御部とを有し、親機は、子機との間で無線通信を行う無線部と、各部を制御すると共に子機からの発呼要求に含まれた通信種別を同報通知の内容に設定して送信する制御部とを有し、通信手段判別部は、同報通知で送信された通信種別に応じた通信を起動することにより、親機は子機からの発呼要求に含まれた通信種別を同報通知の内容に設定して送信し、発呼側子機からすべての相手子機に対して通信種別が通知されるようにしたので、親機に特別な機能を持つことなく、子機のみの機能で、子機間直接通信へ移行するのか親機を介した子機間通信のままにするのかを判別することができると共に、発呼側子機の要求する通信種別に合った相手子機を選択することができ、相手子機との関係で実現可能な通信種別が複数ある場合には最適な通信種別を選択して提供することもできるという有利な効果が得られる。
【００５２】
請求項４に記載のデジタル無線通信装置によれば、親機と親機との間で無線通信が可能な子機とから成る無線通信装置であって、子機は、無線通信を行う無線部と、親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて親機を介した通信のままにするか子機間直接通信を起動するかを判別する通信手段判別部と、各部を制御すると共に指定した通信種別を含んだ発呼要求メッセージを発呼要求時に送信するように制御する基本制御部とを有し、親機は、子機との間で無線通信を行う無線部と、各部を制御すると共に子機からの発呼要求に含まれた通信種別を同報通知の内容に設定して送信する制御部とを有し、通信手段判別部は、自子機が着信側子機である場合に親機経由の子機間通信を解放すると共に子機間直接通信を起動することにより、親機は子機からの発呼要求に含まれた通信種別を同報通知の内容に設定して送信し、発呼側子機からすべての相手子機に対して通信種別が通知されると共に、着信側子機から親機経由の子機間通信を解放すると共に子機間直接通信を起動するようにしたので、親機に特別な機能を持つことなく、子機のみの機能で、子機間直接通信へ移行するのか親機を介した子機間通信のままにするのかを判別することができると共に、着信側子機からでも子機間直接通信を起動することができ、相手子機との関係で実現可能な通信種別が複数ある場合には最適な通信種別を選択して提供することもできるという有利な効果が得られる。
【００５３】
請求項５に記載のデジタル無線通信装置によれば、親機と親機との間で無線通信が可能な子機とから成る無線通信装置であって、子機は、無線通信を行う無線部と、親機との間で無線通信を行う親機通信制御部と、子機間で直接に無線通信を行う子機間直接通信制御部と、自子機の提供できる通信種別を記憶する属性情報記憶部と、相手子機に自子機の提供する通信種別を通知すると共に相手子機の提供する通信種別を受信するための属性情報伝達部と、自子機の属性情報と相手子機の属性情報とに基づいて親機を介した通信のままにするか子機間直接通信を起動するかを判別すると共に着信の可否も判別する通信手段判別部と、各部を制御すると共に自子機が発呼側子機である場合に発呼要求送信時に自子機の属性情報を送信するように制御する基本制御部とを有し、親機は、子機との間で無線通信を行う無線部と、各部を制御すると共に子機からの発呼要求に含まれた属性情報を同報通知の内容に設定して送信する制御部とを有し、通信手段判別部は、同報通知された属性情報の通信種別に応じた通信を起動することにより、親機は子機からの発呼要求に含まれた通信種別を同報通知の内容に設定して送信し、発呼側子機からすべての相手子機に対して通信種別が通知されると共に、通信手段判別部は同報通知された属性情報の通信種別に応じた通信を起動するようにしたので、親機に特別な機能を持つことなく、子機のみの機能で、子機間直接通信へ移行するのか親機を介した子機間通信のままにするのかを判別することができると共に、発呼側子機の持つ属性情報に合わせて通信種別を選択することができ、相手子機との関係で実現可能な通信種別が複数ある場合には最適な通信種別を選択して提供することもできるという有利な効果が得られる。
【図面の簡単な説明】
【図１】本発明の実施の形態１によるデジタル無線通信装置を示すブロック図
【図２】属性情報を示すデータ図
【図３】図１のデジタル無線通信装置の動作を示すシーケンス図
【図４】本発明の実施の形態２によるデジタル無線通信装置を示すブロック図
【図５】図４のデジタル無線通信装置の動作を示すシーケンス図
【図６】本発明の実施の形態３によるデジタル無線通信装置を示すブロック図
【図７】図６のデジタル無線通信装置の動作を示すシーケンス図
【図８】通信種別情報を示すデータ図
【図９】図６のデジタル無線通信装置の別の動作を示すシーケンス図
【図１０】本発明の実施の形態４によるデジタル無線通信装置を示すブロック図
【図１１】図１０のデジタル無線通信装置の動作を示すシーケンス図
【図１２】従来のデジタル無線通信装置としての従来の無線電話装置を示すブロック図
【図１３】図１２のデジタル無線通信装置の動作を示すシーケンス図
【符号の説明】
１００、１１０、１２０、１３０  親機
１０１、１１１、１２１、１３１  無線部
１０２、１１２、１２２、１３２  アンテナ
１０３、１１３、１２３、１３３  制御部
２２０、２３０、２４０、２５０、２６０、２７０、２８０、２９０  子機
２２１、２３１、２４１、２５１、２６１、２７１、２８１、２９１  無線部
２２２、２３２、２４２、２５２、２６２、２７２、２８２、２９２  アンテナ
２２３、２３３、２４３、２５３、２６３、２７３、２８３、２９３  親機通信制御部
２２４、２３４、２４４、２５４、２６４、２７４、２８４、２９４  子機間直接通信制御部
２２５、２３５、２４５、２５５、２６５、２７５、２８５、２９５  属性情報記憶部
２２６、２３６、２４６、２５６、２６６、２７６、２８６、２９６  属性情報伝達部
２２７、２３７、２４７、２５７、２６７、２７７、２８７、２９７  通信手段判別部
２２８、２３８、２４８、２５８、２６８、２７８、２８８、２９８  基本制御部
【図１】
2004165881.tif 000003
【図２】
2004165881.tif 000004
【図３】
2004165881.tif 000005
【図４】
2004165881.tif 000006
【図５】
2004165881.tif 000007
【図６】
2004165881.tif 000008
【図７】
2004165881.tif 000009
【図８】
2004165881.tif 000010
【図９】
2004165881.tif 000011
【図１０】
2004165881.tif 000012
【図１１】
2004165881.tif 000013
【図１２】
2004165881.tif 000014
【図１３】
2004165881.tif 000015